(57)【特許請求の範囲】
【請求項１】
車体後部の左右に後輪（８Ｒ，８Ｌ）を備えた電動車両において、前記後輪（８Ｒ，８Ｌ）を駆動する走行駆動用のモータ（３２）と、このモータ（３２）の上方に配置されたバッテリ（５１）とが設けられ、前記バッテリ（５１）の一部に前記左右の後輪（８Ｒ，８Ｌ）の間に落とし込まれる下部バッテリ（５３）が配置され、前記下部バッテリ（５３）と前記モータ（３２）とが、前記後輪（８Ｒ，８Ｌ）の車軸（３４）の車両前側と前記後輪（８Ｒ，８Ｌ）の車軸（３４）の車両後側とに振り分けて配置され、車体フレーム（５ｒ）にリヤクッション（２１）の上端部が支持され、前記リヤクッション（２１）の下端に前記バッテリ（５１）と前記モータ（３２）とが支持されていることを特徴とする鞍乗り型電動車両。
【請求項２】
前記後輪（８Ｒ，８Ｌ）の後端よりも前側に前記バッテリ（５１）が配置されていることを特徴とする請求項１記載の鞍乗り型電動車両。
【請求項３】
前記バッテリ（５１）の上方に荷台（１１）が設けられ、前記荷台（１１）がヒンジ（６９）を介して上方向に回動可能に支持されていることを特徴とする請求項１又は請求項２記載の鞍乗り型電動車両。
【請求項４】
前記バッテリ（５１）がバッテリケース（５０）に収容され、前記バッテリケース（５０）の左右側壁（６２）がインナーフェンダー（６３）を構成していることを特徴とする請求項１〜請求項３の何れか一項に記載の鞍乗り型電動車両。
【請求項５】
前記バッテリケース（５０）は上部にシール（５７）を備えた蓋（５８）を開閉可能に備え、前記バッテリケース（５０）の側壁（６２）に前記シール部分よりも左右方向外側に張り出すフランジ部（６５）を設け、このフランジ部（６５）にアウターフェンダー（６６）を取り付けたことを特徴とする請求項４記載の鞍乗り型電動車両。
【発明の詳細な説明】
【技術分野】
【０００１】
この発明は、電動三輪車両などの鞍乗り型電動車両に関する。
【背景技術】
【０００２】
従来から、モータを駆動源とした電動三輪車両が知られている。この電動三輪車両は、車体フレームのフロア後部にローリングジョイントを介してバッテリ支持フレームが左右方向に揺動可能に支持されている。バッテリ支持フレームにスイングアームの前端が上下方向に揺動可能に支持され、スイングアームの後端に後輪が軸支されている。スイングアームは電動機と変速機を備え、後輪と共にスイングユニットを構成している（特許文献１参照）。
【先行技術文献】
【特許文献】
【０００３】
【特許文献１】特開平６−２５５５５７号公報
【発明の概要】
【発明が解決しようとする課題】
【０００４】
しかしながら、上記従来の電動三輪車両においては、モータやタイヤのクッションストロークを考慮して隙間を設けるためにバッテリの位置を上げると、スイングユニットが大型化し、また低重心化が困難であるという課題がある。
ところが、バッテリを小さくコンパクトにすると、バッテリ容量が制約を受ける。
【０００５】
そこで、この発明は、バッテリ容量を大きく確保することができ、低重心化を図れる鞍乗り型電動車両を提供することを目的とする。
【課題を解決するための手段】
【０００６】
上記目的を達成するために、請求項１に記載した発明は、車体後部の左右に後輪（８Ｒ，８Ｌ）を備えた電動車両において、前記後輪（８Ｒ，８Ｌ）を駆動する走行駆動用のモータ（３２）と、このモータ（３２）の上方に配置されたバッテリ（５１）とが設けられ、前記バッテリ（５１）の一部に前記左右の後輪（８Ｒ，８Ｌ）の間に落とし込まれる下部バッテリ（５３）が配置され、前記下部バッテリ（５３）と前記モータ（３２）とが、前記後輪（８Ｒ，８Ｌ）の車軸（３４）の車両前側と前記後輪（８Ｒ，８Ｌ）の車軸（３４）の車両後側とに振り分けて配置され、車体フレーム（５ｒ）にリヤクッション（２１）の上端部が支持され、前記リヤクッション（２１）の下端に前記バッテリ（５１）と前記モータ（３２）とが支持されていることを特徴とする。
【０００７】
請求項２に記載した発明は、前記後輪（８Ｒ，８Ｌ）の後端よりも前側に前記バッテリ（５１）が配置されていることを特徴とする。
【０００８】
請求項３に記載した発明は、前記バッテリ（５１）の上方に荷台（１１）が設けられ、前記荷台（１１）がヒンジ（６９）を介して上方向に回動可能に支持されていることを特徴とする。
【０００９】
請求項４に記載した発明は、前記バッテリ（５１）がバッテリケース（５０）に収容され、前記バッテリケース（５０）の左右側壁（６２）がインナーフェンダー（６３）を構成していることを特徴とする。
【００１０】
請求項５に記載した発明は、前記バッテリケース（５０）は上部にシール（５７）を備えた蓋（５８）を開閉可能に備え、前記バッテリケース（５０）の側壁（６２）に前記シール部分よりも左右方向外側に張り出すフランジ部（６５）を設け、このフランジ部（６５）にアウターフェンダー（６６）を取り付けたことを特徴とする。
【発明の効果】
【００１１】
請求項１に記載した発明によれば、リヤクッションの下端にバッテリとモータとを支持するため、下部バッテリの配置を可能として低重心化できると共にバッテリ容量を大きくできる。したがって、バッテリ容量を増加できるため、車両の航続距離を伸ばすことができる。また、下部バッテリとモータとが、後輪の車軸の車両前側と後輪の車軸の車両後側とに振り分けて配置されるため、車軸の前後で大きな重量をバランスよく振り分けることができる。
請求項２に記載した発明によれば、車両後面衝突時に衝撃を後輪で受け、バッテリを保護することができる。
請求項３に記載した発明によれば、荷台を開作動させることによりバッテリの上方が開放されるため、バッテリのメンテナンスを行い易い。
請求項４に記載した発明によれば、バッテリを収容するバッテリケースを有効利用して部品点数を減少できる。
請求項５に記載した発明によれば、アウターフェンダーを簡単な構造でバッテリケースに連続させて形成できる。
【図面の簡単な説明】
【００１２】
【図１】この発明の実施形態の電動三輪車両の側面図である。
【図２】図１の荷台付近の要部拡大図である。
【図３】図１の要部拡大図である。
【図４】図３の平面図である。
【図５】図３のＡ−Ａ線に沿う断面図である。
【図６】図５の拡大図である。
【図７】リヤフェンダーを断面にして示す後面図である。
【図８】充電コネクタ付近のバッテリケースの断面図である。
【図９】充電コネクタ付近のバッテリケースの斜視図である。
【図１０】電気機器類を示すブロック図である。
【図１１】第２実施形態の図３に相当する要部拡大図である。
【発明を実施するための形態】
【００１３】
次に、この発明の実施形態を図面に基づいて説明する。
図１、図２に示すように、鞍乗り型電動車両としての電動三輪車両１は、バッテリ駆動式の電動車両であって、前面にウインドスクリーン２を有し、底面に低床式のフロア３を有するルーフ付きのキャビン４を備えている。電動三輪車両１は側面から見てＵ字状に形成された車体フレーム５を備えている。
【００１４】
車体フレーム５は前端部から斜め下方に向かって延びる単一の前部フレーム５ｆと、前部下端で左右に分かれフロア３に沿って互いに平行に後方に延びる左右一対の下部フレーム５ｂと、各下部フレーム５ｂの後端から斜め後方上部に向かって延びる後部フレーム５ｒと、各後部フレーム５ｒの後端から後方やや斜め上に延びる荷台フレーム５ｎとで構成されている。前部フレーム５ｆの前端部に操舵機構６を介して前輪７が支持され、下部フレーム５ｂの後部の車幅方向中央部に左右の後輪８Ｌ，８Ｒを駆動するパワーユニット９が揺動可能に支持されている。そして、荷台フレーム５ｎ上に荷台１１が設けられている。よって、パワーユニットの上方に荷台１１が位置し、パワーユニット９の近傍に駆動輪である後輪８Ｒ，８Ｌが配置されている。尚、下部フレーム５ｂと後部フレーム５ｒにシート１０が支持されている。
【００１５】
図２に示すように、パワーユニット９の上方、つまり後述するバッテリユニット３１の上方に位置する荷台１１は、荷台１１の基部側に設けたヒンジ６９を介して上方向に回動可能に支持されている。具体的には、車体フレーム５の荷台フレーム５ｎは荷台１１の基部側で荷台１１自身と共に前後に分割され、この分割部分にヒンジ６９が設けられている。荷台フレーム５ｎは荷台１１が水平姿勢になると、荷台フレーム５ｎの分断された部分が互いに干渉し合ってそれ以上の回動が規制され、荷台１１が垂直姿勢になった状態で、図示しないフックにより固定され垂直状態が維持できる。この状態で後述するバッテリケース５０の蓋５８を開けて内部のメンテナンスを行う。荷台１１が水平状態になったときに、荷台フレーム５ｎの分断された部分が互いに干渉して荷台１１のそれ以上の回動が規制されるため、水平姿勢にある荷台１１にかかる下向きの荷重を支えることができる。ここで、荷台１１の上には収納ボックス２２が設置されている（図２、図３では図示省略）。
【００１６】
操舵機構６は、前部フレーム５ｆ前端に取り付けられ上下方向に延びるヘッドパイプ１２を有している。ヘッドパイプ１２には、図示しないステアリングシャフトが回転可能に取り付けられている。ステアリングシャフトの下端にフロントフォーク１３が取り付けられ、このフロントフォーク１３の下端に前輪７が支持されている。  
ステアリングシャフトの上端にはハンドルポスト１４が取り付けられ、ハンドルポスト１４の上端にハンドル１５が取り付けられている。
【００１７】
図３、図４に示すように、下部フレーム５ｂ，５ｂの後端部の間には下方に延びるリンク１６が、下部フレーム５ｂ，５ｂに対して前後方向に所定の角度範囲で揺動可能に取り付けられている。リンク１６の下端部のスイング軸Ｓには、車幅方向中央部に沿って後方に延びるスイングジョイント１７が、リンク１６に対して上下方向に揺動可能に取り付けられている。
【００１８】
スイングジョイント１７は、一端がリンク１６に支持されるジョイントケース１８と、このジョイントケース１８の他端側に挿入され、後方に延びる軸線Ｒを中心にジョイントケース１８に対して相対的に回動可能に取り付けられたジョイントシャフト１９を備えている。このジョイントシャフト１９とパワーユニット９の下壁４５（図５参照）との間が左右一対のハンガープレート２０，２０により連結されている。これによりスイングジョイント１７のジョイントケース１８に対してジョイントシャフト１９、つまりパワーユニット９がジョイントシャフト１９の軸線Ｒを中心に左右方向に揺動可能に支持される。
【００１９】
スイングジョイント１７のジョイントケース１８の上部には下部ブラケット２３が設けられている。後部フレーム５ｒ，５ｒには図示しないクロスメンバが掛け渡され、クロスメンバの車幅方向中央部に上部ブラケット２４が設けられている。これら上部ブラケット２４と下部ブラケット２３との間に、リヤクッション２１が取り付けられている。
【００２０】
パワーユニット９は、下部に配置されたモータユニット３０と、モータユニット３０の上部に配置されモータユニット３０に連結ボルト２８で固定されるバッテリユニット３１とを備えている。モータユニット３０の下壁４５の前部に各ハンガープレート２０の上部が上部ボルト２５，２５により前後２箇所で固定され、各ハンガープレート２０の下部が下部ボルト２６，２６によってジョイントシャフト１９の後部取付部２７（図５参照）に前後２箇所で取り付けられている。
【００２１】
これによりモータユニット３０はリンク１６を介してスイングジョイント１７に上下方向で揺動可能に支持される。よって、モータユニット３０とこのモータユニット３０に連結ボルト２８により固定されたバッテリユニット３１が一体となったパワーユニット９は、車体フレーム５に対してスイング軸Ｓを介して上下方向に揺動動可能に支持され、かつジョイントシャフト１９を介してその軸線Ｒを中心に左右方向に揺動可能に支持される。
【００２２】
図５、図６にも示すように、モータユニット３０は、後輪８Ｒ，８Ｌを駆動する走行駆動用のモータ３２と、後輪８Ｒ，８Ｌに連係するディファレンシャルギヤ３７と、モータ３２とディファレンシャルギヤ３７とを収容するアルミダイキャスト製のモータケース３３とを主として備えている。
【００２３】
モータ３２は三相交流モータであって、後輪８Ｒ，８Ｌの車軸３４の後方、かつ車両左右方向の中心よりも右側に配置されている。モータ３２のピニオン３５にはカウンタギヤ３６を介してディファレンシャルギヤ３７のキャリアが連係されている。ディファレンシャルギヤ３７の左右のサイドギヤに左右のファイナルシャフト３８，３８が取り付けられ、左右のファイナルシャフト３８，３８に各々後輪８Ｒ，８Ｌが取り付けられている。左右のファイナルシャフト３８，３８が車軸３４を構成している。ここで、ディファレンシャルギヤ３７は車両左右方向の中心よりも左側に配置され、同じく重量物であるモータ３２との車幅方向での重量バランスの偏りを少なくしている。
【００２４】
モータケース３３は少なくとも前側の上部が開口した部材であって、上部周縁部にケース取付座３９を備えている（後部は閉塞されていても良い）。このケース取付座３９にバッテリユニット３１に挿通した連結ボルト２８を締め付けて、バッテリユニット３１に取り付けられている。モータケース３３は、後部右側がモータ３２の配置部位として後方に突出し、両側壁４１の下部にディファレンシャルベアリング４２を備えている。モータケース３３の前部にはバッテリケース５０の前部、後述する膨出部６０を受け入れる収容凹部４４が設けられている。
モータケース３３は側壁４１にバッテリケース５０の周壁が取り付けられるケース取付座３９を備えている。収容凹部４４の前部の下壁４５には各ハンガープレート２０の上部が上部ボルト２５，２５により前後２箇所で固定される図示しない固定部が設けられている。収容凹部４４の内側壁には、上下方向にガイドレール２９が設けられている。
【００２５】
図６に示すように、モータケース３３の左側の側壁４１の後部にはファイナルシャフト３８の周囲に外側に張り出す膨出部４６が設けられ、この膨出部４６にディファレンシャルギヤ３７の一部が収容されている。この膨出部４６に対応して、左側の後輪８Ｌのスポーク部４７は、タイヤの幅方向の中心から外側にずれるように形成され、左側の後輪８Ｌのスポーク部４７と側壁４１の膨出部４６の内面との間の空間を利用してドラムブレーキ装置４８が配置されている。ドラムブレーキ装置４８は後輪８Ｌのスポーク部４７に設けたドラム４９をシュー４９ａで押圧する。
【００２６】
その結果、ディファレンシャルギヤ３７の一部がドラムブレーキ装置４８と共に、左の後輪８Ｌのタイヤの幅内に入り込む。尚、右側の側壁４１にも膨出部４６が設けられ、右側の後輪８Ｌのスポーク部４７も、タイヤの幅方向の中心から外側にずれるように形成され、右側の後輪８Ｌのスポーク部４７と側壁４１の膨出部４６の内面との間の空間にドラムブレーキ装置４８が配置されている。
【００２７】
図３、図４に示すように、バッテリユニット３１は、バッテリケース５０とバッテリケース５０内に収容されるリチウムイオンタイプのバッテリ５１とを備えている。バッテリ５１は後輪８Ｒ，８Ｌの車軸３４の上方に位置する上部バッテリ５２と、この上部バッテリ５２の前側の下部に、左右の後輪８Ｒ，８Ｌの間に落とし込まれ、車軸３４の前側に配置される下部バッテリ５３（バッテリ５１の一部を構成する）とで構成されている。したがって、モータ３２と下部バッテリ５３とが、後輪８Ｒ，８Ｌの車軸３４の車両前側と後輪８Ｒ，８Ｌの車軸３４の車両後側とに振り分けて配置される。
【００２８】
上部バッテリ５２は後輪８Ｒ，８Ｌの後端よりも前側に配置されている。ここで、バッテリ５１は、上部バッテリ５２を二個と下部バッテリ５３一個を直列に接続して構成される。これら上部バッテリ５２と下部バッテリ５３の各々はバッテリセルを複数個直列に接続されて構成されている。これら上部バッテリ５２，５２と下部バッテリ５３とが直列に接続され、例えば、４８Ｖ〜７２Ｖの高電圧を発生し、後述する充電コネクタ８０から供給される電力により充電される。
【００２９】
バッテリケース５０は、上部に開口部５５を備えたケース本体５４と、開口部５５を閉塞する蓋５８とで構成されている。ケース本体５４の前部の底壁７５には、下部バッテリ５３に対応して下部バッテリ５３を収容するように下側に張り出す膨出部６０が形成されている。膨出部６０の両側壁の外面には、スライダ６１が上下方向に各々取り付けられている。このスライダ６１はモータケース３３の収容凹部４４の内側壁に設けたガイドレール２９に上下方向にスライド可能に嵌合する。
【００３０】
バッテリケース５０の上方に設けられる蓋５８の前部には車幅方向中央部に、後方に向かって延出して開口する空気取り入れダクト７０が設けられている。また、蓋５８の後部には車幅方向中央部に上部バッテリ５２、下部バッテリ５３を冷却するための内部空気を吸引して排出する冷却ファン７１と、後方に向かって開口する排出ダクト７２が一体形成されている。
ケース本体５４の内部には蓋５８を取り付けた状態で、蓋５８の空気取り入れダクト７０に連通し、空気取り入れダクト７０に対して屈曲して下方に向かう空気導入通路７３が形成されている。空気導入通路７３はケース本体５４の内部に設けられた仕切り壁７４により、バッテリケース５０の前壁６４との間に形成され、仕切り壁７４はケース本体５４の膨出部６０の底壁７５との近傍まで延出し、仕切り壁７４の下端と底壁７５との間に導入口７６を形成している。
【００３１】
図７に示すように、ケース本体５４の膨出部６０以外の左右の側壁６２，６２は、後輪８Ｒ，８Ｌの内側であって後輪８Ｒ，８Ｌに近接して配置され、側壁６２の一部が後輪８Ｒ，８Ｌのインナーフェンダー６３として構成されている。
ケース本体５４の開口部５５の周縁にはフランジ部５６が形成されている。このフランジ部５６にシール材５７を介して蓋５８がボルト５９により固定されている。よって、ボルト５９を外して蓋５８を取り外すことにより開口部５５が開放し、ボルト５９を締め付ければ蓋５８で開口部５５を閉塞することができる。
【００３２】
フランジ部５６は側縁部分がシール材５７の配置位置よりも左右方向外側に張り出すフランジ延長部６５を備えている。このフランジ延長部６５にアウターフェンダー６６がフェンダーボルト６７によって取り付けられている。アウターフェンダー６６は、バッテリケース５０のケース本体５４のフランジ延長部６５に締め付けられる上縁フランジ部６６ａと、上縁フランジ部６６ａに連なり下側に折れ曲がる連結部６６ｂと、連結部６６ｂから水平方向の外側に張り出し前後方向に弧状に形成されるフェンダー本体６６ｃとで構成されている。
車両走行時の走行風及び後輪８Ｒ，８Ｌの回転により生ずる空気流が、インナーフェンダー６３として機能するケース本体５４の側壁６２及びアウターフェンダー６６に沿って流れることによりバッテリケース５０を冷却できる。
【００３３】
図８、図９に示すように、バッテリケース５０のケース本体５４の後壁７９には、後方に充電コネクタ８０を収容するためにコネクタ収容部８１を隔成する壁部８２が設けられている。壁部８２には凹部８３が形成されている。凹部８３には、上端を支持されたリッド８４が開閉可能に取り付けられ、リッド８４を閉鎖すると壁部８２が連続した面となる。
【００３４】
凹部８３の底壁８５に外部設備の充電プラグを差し込む充電コネクタ８０が配置されている。充電コネクタ８０は底壁８５に防水、防塵用のシールラバー８６を介して固定されている。充電コネクタ８０の周囲はシールラバー８６の周壁８７により覆われている。充電コネクタ８０から延びるハーネス８８は、ケース本体５４の後壁７９に設けたグロメット８９を貫通して、ケース本体５４内に延出している。
【００３５】
リッド８４にはロックキー９０が設けられている。凹部８３の底壁８５には、リッド８４を閉鎖し、キー９１によりロックキー９０を回動操作したときに、ロックキー９０の係止部９２が係合するロック孔９３が設けられている。
【００３６】
図３、図４に示すように、車体フレーム５の下部フレーム５ｂと後部フレーム５ｒとの接続部位であって車幅方向中央部には、１２Ｖ補機類、及び制御用デバイスに電圧を供給する補助バッテリ７７がボルトにより取り付けられている。バッテリケース５０の前壁６４の車幅方向中央部の上部外面にはバッテリ５１の電圧を降圧して補助バッテリ７７を充電するＤＣ−ＤＣコンバータ（ＤＣ−ＤＣ）９４がボルトにより取り付けられている。ＤＣ−ＤＣコンバータは前面に放熱用の縦フィン９５を備えている。
【００３７】
バッテリケース５０の内部には、ケース本体５４の仕切り壁７４の車幅方向中央部の上部に、モータ３２の駆動回路をオン・オフするコンタクタ（ＣＯＮ）９６と、このコンタクタ９６の下側にバッテリ５１を充放電制御するバッテリマネージングユニット（ＢＭＵ）９７がボルトにより取り付けられている。バッテリケース５０の前側に位置するモータケース３３の前壁６８の車幅方向中央部には、制御ユニット１００がボルトにより取り付けられている。
【００３８】
制御ユニット１００は、モータ３２を駆動するスイッチングユニット（ドライバー）であるパワードライブユニット（ＰＤＵ）９８と、バッテリマネージングユニット９７とパワードライブユニット９８とを制御するＥＣＵ９９とが一体で連結されたものである。ＥＣＵ９９にはハンドル１５に設けたアクセルグリップのアクセル開度信号が入力され、このアクセル開度信号に基づいてバッテリマネージングユニット９７とパワードライブユニット９８とが制御される。尚、ＥＣＵ９９は、アクセル開度信号のみならず各種センサー類からの信号を受け入れ、様々な補機類の制御信号を出力する。
【００３９】
したがって、図１０に示すように、バッテリ５１からの電力は、図示しないメインスイッチと連動するコンタクタ９６を介してパワードライブユニット９８に供給され、パワードライブユニット９８にて直流から３相交流に変換された後に、３相交流モータであるモータ３２に供給される。また、バッテリ５１からの出力電圧は、ＤＣ−ＤＣコンバータ９４を介して降圧されて、補助バッテリ７７に供給される。
バッテリ５１の充放電状況や温度等はバッテリマネージングユニット９７が監視し、かつその情報はＥＣＵ９９と共有される。ＥＣＵ９９には、アクセル開度信号に加えて各種センサー類からの信号情報が入力され、これらの情報に基づき、ＥＣＵ９９がパワードライブユニット９８を介してモータ３２を駆動制御する。バッテリ５１には、外部の給電機器から充電コネクタ８０を介して電力が供給される。
【００４０】
上記実施形態によれば、リヤクッション２１の下端にバッテリユニット３１とモータユニット３０とを連結したパワーユニット９を支持するため、上部バッテリ５２に加え更に下部バッテリ５３を配置できる。
よって、上部バッテリ５２だけを設けた場合に比較して下部バッテリ５３の増加分だけ低重心化を図ることができると共にバッテリ容量を増加でき、電動三輪車両１の航続距離を伸ばすことができる。
また、車体下部側に位置する重量のある下部バッテリ５３とモータ３２とが、後輪８Ｒ，８Ｌの車軸３４の車両前側と後輪８Ｒ，８Ｌの車軸３４の車両後側とに振り分けて配置されるため、車軸３４の前後で大きな重量をバランスよく振り分けることができる。
【００４１】
後輪８Ｒ，８Ｌの後端よりも前側に上部バッテリ５２が配置されているため、車両後面衝突時に衝撃を後輪８Ｒ，８Ｌで受け、バッテリ５１、特に上部バッテリ５２を衝撃から保護することができる。
【００４２】
バッテリユニット３１の上方に荷台１１が設けられ、荷台１１が車体フレーム５の荷台フレーム５ｎごとヒンジ６９を介して上方向に回動可能に支持されている。よって、荷台１１を開作動させることによりバッテリユニット３１、つまり上部バッテリ５２及び下部バッテリ５３の上方を開放することができる。したがって、蓋５８のボルト５９を外して、蓋５８をケース本体５４から取り外し、バッテリ５１及び他の収容部品のメンテナンスを容易に行うことができる。
【００４３】
バッテリ５１がバッテリケース５０に収容され、バッテリケース５０の左右側壁６２がインナーフェンダー６３を構成しているため、バッテリ５１を収容するバッテリケース５０を有効利用して部品点数を減少できる。
バッテリケース５０のフランジ部５６に左右方向外側に張り出すフランジ延長部６５を設け、このフランジ延長部６５にアウターフェンダー６６を取り付けたため、アウターフェンダー６６を簡単な構造でバッテリケース５０に連続させて形成できる。
【００４４】
また、車両走行時の走行風及び後輪８Ｒ，８Ｌの回転により生ずる空気流が、インナーフェンダー６３として機能するバッテリケース５０の側壁６２及びアウターフェンダー６６に沿って流れるため、バッテリケース５０の冷却性能向上に寄与できる。
【００４５】
次に、図１１に基づいて、この発明の第２実施形態を説明する。
この実施形態はパワーユニット９を構成するバッテリケース５０とモータケース３３との構成が異なっている。バッテリケース５０のケース本体５４には後側の底壁７５に膨出部６０’が形成され、これに対応してモータケース３３の後部に収容凹部４４’が形成されている。また、モータケース３３の前部にはモータ３２が配置され、このモータ３２とバッテリケース５０のケース本体５４の膨出部６０’に収容された下部バッテリ５３とが、後輪８Ｒ，８Ｌの車軸３４の車両前側と後輪８Ｒ，８Ｌの車軸３４の車両後側とに振り分けて配置されている。
【００４６】
また、膨出部６０’の配置が後側になることにより、排出ダクト７２、空気取り入れダクト７０、空気導入通路７３及び仕切り壁７４の位置が第１実施形態と前後が逆になっている。また、この実施形態でも後輪８Ｒ，８Ｌの後端よりも前側にバッテリ５１が位置している。尚、他の構成及び作用については第１実施形態と同様であるので同一部分に同一符号を付して説明は省略する。
【００４７】
この実施形態においても、上記第１実施形態の効果に加え、車体下部側に位置する重量のあるモータ３２と下部バッテリ５３とが、後輪８Ｒ，８Ｌの車軸３４の車両前側と後輪８Ｒ，８Ｌの車軸３４の車両後側とに振り分けて配置されるため、車軸３４の前後で大きな重量をバランスよく振り分けることができる。
【００４８】
尚、この発明は上記実施形態に限られるものではなく、例えば、電動の四輪車両にも適用できる。また、バッテリはリチウムイオンバッテリに限られず、ニッケル水素バッテリ、鉛バッテリ等の充電可能な二次バッテリを用いることができる。
更に、充電コネクタ８０を設けて外部の商用充電装置により充電する場合について説明したが、家庭用電源により充電する形式を採用することができる。この場合には、図１に鎖線で示すように、コネクタ収容部８１に１００Ｖ用のプラグＰをコードと一緒に収納できるようにしてもよく、また、シート１０のシートバック１０ｂを前側に倒し、背面側に１００Ｖ用のプラグＰ及びコードを収納できるようにしてもよい。尚、１００Ｖ用のプラグＰを用いる場合には、バッテリケース５０の内部にインバータを設ける。
【符号の説明】
【００４９】
８Ｒ，８Ｌ  後輪
３２  モータ
５１  バッテリ
５３  下部バッテリ
３４  車軸
５ｒ  後部フレーム（車体フレーム）
２１  リヤクッション
１１  荷台
６９  ヒンジ
５０  バッテリケース
６２  側壁
６３  インナーフェンダー
５７  シール材（シール）
５８  蓋
６５  フランジ延長部（フランジ部）
６６  アウターフェンダー
【図１】
0005474737.tif 000002
【図２】
0005474737.tif 000003
【図３】
0005474737.tif 000004
【図４】
0005474737.tif 000005
【図５】
0005474737.tif 000006
【図６】
0005474737.tif 000007
【図７】
0005474737.tif 000008
【図８】
0005474737.tif 000009
【図９】
0005474737.tif 000010
【図１０】
0005474737.tif 000011
【図１１】
0005474737.tif 000012